(57)【要約】      （修正有）【課題】着用時に傷が付きにくく耐久性に優れるとともに装飾機能と健康志向機能を兼ね備え、且つ、装着時の好みなどに応じて環状装身具であるネックレス等の全長を長くすることが可能な調節具を提供する。【解決手段】チタン（純度９９.５％以上）の金属素材からなり、複数個の駒を連結するとともに両端には前記環状装身具と連結、分離を可能とした接続具４，４ａを有して構成し、表面にイオンプレーティング加工を施し、前記駒の片面にゲルマニウムチップ（純度９９.９％以上）６を固着してなるものである。【選択図】図１
0003114693.tif 000002
【実用新案登録請求の範囲】
【請求項１】
環状装身具と、連結、分離を可能とした長さ調節具であって、該調節具は、チタン（純度９９.５％以上）の金属素材からなり、複数個の駒を連結するとともに両端には前記環状装身具と連結、分離を可能とした接続具を有して構成し、表面にイオンプレーティング加工を施し、前記駒の片面にゲルマニウムチップ（純度９９.９％以上）を固着してなることを特徴とする環状装身具用調節具。
【請求項２】
前記調節具の全長を３０ｍｍから１００ｍｍの範囲であることを特徴とする請求項１記載の環状装身具用調節具。
【考案の詳細な説明】
【技術分野】
【０００１】
本考案は、装着時の好みなどに応じて環状装身具であるネックレス等の全長を長くすることができるゲルマニウムチップを有する長さ調節具に関するものである。
【背景技術】
【０００２】
従来、環状装身具であるネックレス等の輪が変えられる機構を有するものとして、貫通させるチェーンより貫通孔を僅かに小さくした弾性体にチェーンを貫通させることにより、弾性体がチェーンを取り囲み、弾性体の弾性力による摩擦にて所望の位置までスライドさせる機構がある（例えば特許文献１参照。）。
【０００３】
また、環状装身具であるネックレス等の全長を長くするものとして、飾り紐と、この飾り紐の両端部に取り付けられて、ネックレスの両端部に取り付けられた係着子および被係着子に着脱自在に係合する係着子および被係着子から成るネックレス用アジャスタがある。（例えば特許文献２参照。）。
【０００４】
また、装身具にゲルマニウムを用いたものとして、装身具本体と、その装身具本体の肌へ接触する内側面に設けられた凹部と、その凹部に嵌め入れられて固定されるゲルマニウムチップとから構成され、上記ゲルマニウムチップの一部が上記内側面に露出した状態で上記装身具本体に固定してなる装身具がある（例えば特許文献３参照。）。
【０００５】
【特許文献１】特許第３４２３６５６号公報
【特許文献２】実開平０６−０５７２１５号公報
【特許文献３】特開２００３−１１６６１３号公報
【考案の開示】
【考案が解決しようとする課題】
【０００６】
前記の特許文献より従来の装身具の特徴として、ネックレス等の全長を長くする機能だけを持ち合わせたもの、また、装身具にゲルマニウムを用いて該ゲルマニウムが有する治療効果を効果的に人体に影響させることだけを目的としたことを要旨としている。
【０００７】
上記を鑑みて、解決しようとする問題点は、着用時に傷が付きにくく耐久性に優れるとともに装飾機能と健康志向機能を兼ね備え、且つ、装着時の好みなどに応じて環状装身具であるネックレス等の全長を長くすることが可能な調節具を提供しようとするものである。
【課題を解決するための手段】
【０００８】
上記課題を解決するために請求項１に係る考案は、チタン（純度９９.５％以上）の金属素材からなり、複数個の駒を連結するとともに両端には前記環状装身具と連結、分離を可能とした接続具を有して構成し、表面にイオンプレーティング加工を施し、前記駒の片面にゲルマニウムチップ（純度９９.９％以上）を固着してなることを要旨とするものである。
【０００９】
また、請求項２に係る考案は前記環状装身具用調節具の全長を３０ｍｍから1００ｍｍの範囲とし、環状装身具であるネックレス、ブレスレット等に連結して全長を長くすることができる。
【考案の効果】
【００１０】
以上述べたように、本考案によれば、金属素材にチタン（純度９９.５％以上）を用いて軽量化を図るとともにイオンプレーティング加工が施されているため傷が付きにくく、耐久性に優れ、また、プラチナ色またはゴールド色等にすることが可能であり、チタン材からなる装身具はもちろんのこと、既存の貴金属装身具にも美観を損なうことなく色を合わせての使用ができる。
【００１１】
また、片面にゲルマニウムチップ（純度９９.９％以上）を固着して装着時に皮膚に触れさせることによりゲルマニウムによる遠赤外効果・マイナスイオンの発生によって人体における肩こりの解消等の健康促進・治療等の効果が発揮できる。
【００１２】
さらに、装着時の好みなどに応じて環状装身具であるネックレスと連結することによりロングネックレス、または、持ち合わせの２本のブレスと連結すればネックレスとして、また、環状装身具用調節具を環状にして両端を連結すれば指輪としても使用ができる装飾機能をも持ち合わせた商品の提供が可能となった。
【考案を実施するための最良の形態】
【００１３】
以下、本考案の目的である装飾機能と健康志向機能を兼ね備え、且つ、ネックレス等の全長を長くすることを可能とする調節具の美観を、何ら損なうことなく実現し、その実施形態は図面を用いて詳細に説明する。
【００１４】
図１は、本考案の環状装身具用調節具８の実施例を背面より示す斜視図であり、実施にあたっては、当該調節具８の金属素材に純度９９.９９９％のチタン材を用いるとともに環状装身具用調節具８を構成する３種類の駒２、２ａ、２ｂ及び接続具（中折れ部）４、接続具（受け部）４ａのパーツをプレス加工等により形成し、該パーツに下仕上げを行い、ジョイント挿入孔１２よりジョイントピン１４を挿入して各パーツ及び接続具４（中折れ部）、４ａ（受け部）を連結した。
【００１５】
上記連結したものに仕上げ加工を行った後、表面にプラチナ色のイオンプレーティング加工を施し、前記駒２の背面となる片面に純度９９.９％のゲルマニウムチップ６を押さえ座金１６を用いて接着材を用いて固着して全長６５ｍｍの環状装身具用調節具８を構成させた。
本考案によれば、実施にあたっては表面にプラチナ色のイオンプレーティング加工を施したが限定するものではなく、金色あるいはピンク色等をイオンプレーティングによって加工できる。
【００１６】
図２、図３は、本考案の環状装身具用調節具８の正面図、右側面図を示し、上側より接続具（中折れ部）４、ゲルマニウムチップ６を押さえ座金１６を用いて接着剤にて固着した駒２、駒２ａ、駒２ｂ、駒２ａ、ゲルマニウムチップ６を押さえ座金１６を用いて接着剤にて固着した駒２、接続具（受け部）４ａの順にジョイントピン１４をジョイント挿入孔より挿入して連結状態とした。
本考案によれば、実施にあたってはジョイントピン１４には断面が半円形のチタン材からなる針金を、平らな方を内側にして折り曲げたものを用いた。
【００１７】
図４は、本考案の全長６５ｍｍの環状装身具用調節具８と、全長４００ｍｍのネックレス２０を連結させた状態を示す概念図であり、環状装身具用調節具８の一端に設けた接続具（中折れ部）４と、ネックレス２０の一端に設けたネックレス用接続具（受け部）２２ａを連結するとともに環状装身具用調節具８の他端に設けた接続具（受け部）４ａと、ネックレス２０の他端に設けたネックレス用接続具（中折れ部）２２を連結することにより全長を約４６０ｍｍとしたゲルマニウムチップ６を２個有するネックレスを構成させた。
【００１８】
本考案によれば、実施にあたってはネックレス２０と連結したが限定するものではなく、２本のブレスと、２本の環状装身具用調節具８を用いて連結することによりネックレスとして用いることもできる等、着用者の好みによって組み合わせを自由にすることができる。
【図面の簡単な説明】
【００１９】
【図１】本考案の環状装身具用調節具の実施例を背面より示す斜視図である。
【図２】本考案の環状装身具用調節具の正面図である。
【図３】本考案の環状装身具用調節具の右面図である。
【図４】本考案の環状装身具用調節具とネックレスを連結させた状態を示す概念図である。
【図５】図４の連結要部の切り欠き拡大図である。
【符号の説明】
【００２０】
２      駒
２ａ    駒
２ｂ    駒
４      接続具（中折れ部）
４ａ    接続具（受け部）
６      ゲルマニウムチップ
８      環状装身具用調節具  
１２    ジョイント挿入孔
１４    ジョイントピン
１６    押さえ座金
２０    ネックレス
２２    ネックレス用接続具（中折れ部）
２２ａ  ネックレス用接続具（受け部）
【図１】
0003114693.tif 000003
【図２】
0003114693.tif 000004
【図３】
0003114693.tif 000005
【図４】
0003114693.tif 000006
【図５】
0003114693.tif 000007